(57)【要約】【課題】顧客にとって顧客が服用する薬剤及び顧客の既往症とメニューとの関連が容易に把握できる販売情報登録処理システム、販売情報登録処理端末、及び販売情報登録プログラムを提供する。【解決手段】販売情報登録処理システムは、メニューに固有に割り当てられる商品コードごとに単価を格納するメニューマスタと、薬剤に固有に割り当てられる薬剤名称ごとに適応症状、商品コード、前記薬剤を服用する顧客への商品コードが示すメニューのお勧め度を格納する薬事データベースと、を備えるサーバと、顧客が選択した薬剤に対するメニューのお勧め度をサーバから受信し、メニューをお勧め度順に表示する販売情報登録処理端末と、を備える。【選択図】図１
2015001780.tif 000002
【特許請求の範囲】
【請求項１】
メニューに固有に割り当てられる商品コードごとに単価を格納するメニューマスタと、
薬剤に固有に割り当てられる薬剤名称ごとに適応症状、前記商品コード、前記薬剤を服用する顧客への前記商品コードが示すメニューのお勧め度を格納する薬事データベースと、
を備えるサーバと、
顧客が選択した薬剤に対するメニューのお勧め度を前記サーバから受信し、前記メニューを前記お勧め度順に表示する販売情報登録処理端末と、
を備える販売情報登録処理システム。
【請求項２】
前記薬事データベースは、
前記薬剤名称ごとに前記商品コードが示すメニューを顧客が摂取する場合のアドバイスをさらに格納し、
前記販売情報登録処理端末は、
前記メニューごとに前記アドバイスを表示する請求項１記載の販売情報登録処理システム。
【請求項３】
メニューに固有に割り当てられる商品コードごとに単価を格納するメニューマスタと、薬剤に固有に割り当てられる薬剤名称ごとに適応症状、前記商品コード、前記薬剤を服用する顧客への前記商品コードが示すメニューのお勧め度を格納する薬事データベースと、を備えるサーバから、顧客が選択した薬剤に対するメニューのお勧め度を受信し、前記メニューを前記お勧め度順に表示する販売情報登録処理端末。
【請求項４】
前記薬事データベースは、
前記薬剤名称ごとに前記商品コードが示すメニューを顧客が摂取する場合のアドバイスをさらに格納し、
前記メニューごとに前記アドバイスを表示する請求項３記載の販売情報登録処理端末。
【請求項５】
販売情報登録処理端末を、
メニューに固有に割り当てられる商品コードごとに単価を格納するメニューマスタと、薬剤に固有に割り当てられる薬剤名称ごとに適応症状、前記商品コード、前記薬剤を服用する顧客への前記商品コードが示すメニューのお勧め度を格納する薬事データベースと、を備えるサーバから、顧客が選択した薬剤に対するメニューのお勧め度を受信する受信手段と、
前記メニューを前記お勧め度順に表示するメニュー表示手段と、
として機能させるための販売情報登録プログラム。
【請求項６】
前記薬事データベースは、
前記薬剤名称ごとに前記商品コードが示すメニューを顧客が摂取する場合のアドバイスをさらに格納し、
前記販売情報登録処理端末を、
前記メニューごとに前記アドバイスを表示するアドバイス表示手段としてさらに機能させるための請求項５記載の販売情報登録プログラム。
【発明の詳細な説明】
【技術分野】
【０００１】
本発明の実施形態は、販売情報登録処理システム、販売情報登録処理端末、及び販売情報登録プログラムに関する。
【背景技術】
【０００２】
飲食店などの店舗に、顧客が自身で注文を入力する販売情報登録処理端末が設置されることがある。
【０００３】
この販売情報登録処理端末は、サーバと接続され、顧客の操作に応じてメニューを表示し、顧客による注文の入力を受け付ける。販売情報登録処理端末は注文を入力するとこの注文の情報をサーバに送信する。サーバは注文情報を厨房に設置されるキッチンプリンタから出力するとともに、会計所に設置されるＰＯＳ（Ｐｏｉｎｔ  Ｏｆ  Ｓａｌｅｓ）端末に送信する。
【０００４】
従来の販売情報登録処理システムは、販売情報登録処理端末が各メニューに含まれるアレルギー物質の表示を行うに留まっていた。
【０００５】
しかし、現在では、顧客が服用する薬剤及び顧客の既往症とメニューとの関連も注目されるにいたっている。顧客が服用する薬剤及び顧客の既往症によっては、摂取することが望ましいメニューと望ましくないメニューとがあるからである。
【先行技術文献】
【特許文献】
【０００６】
【特許文献１】特開２００５−２２２１９１号公報
【発明の概要】
【発明が解決しようとする課題】
【０００７】
従って、顧客にとって顧客が服用する薬剤及び顧客の既往症とメニューとの関連が容易に把握できる販売情報登録処理システム、販売情報登録処理端末、及び販売情報登録プログラムが求められている。
【課題を解決するための手段】
【０００８】
上記の課題を解決するために、本発明の一実施形態は、メニューに固有に割り当てられる商品コードごとに単価を格納するメニューマスタと、薬剤に固有に割り当てられる薬剤名称ごとに適応症状、商品コード、前記薬剤を服用する顧客への商品コードが示すメニューのお勧め度を格納する薬事データベースと、を備えるサーバと、顧客が選択した薬剤に対するメニューのお勧め度をサーバから受信し、メニューをお勧め度順に表示する販売情報登録処理端末と、を備える販売情報登録処理システムを提供する。
【図面の簡単な説明】
【０００９】
【図１】販売情報登録処理システムの構成を示すブロック図である。
【図２】メニューマスタのデータ構成を示す図である。
【図３】薬事データベースのデータ構成を示す図である。
【図４】注文データベースのデータ構成を示す図である。
【図５】顧客端末２が表示する薬剤名称入力画面の例を示す図である。
【図６】顧客端末２が表示するメニュー選択画面の例を示す図である。
【図７】販売情報登録処理システムにおけるサーバと顧客端末の動作を示すフローチャートである。
【発明を実施するための形態】
【００１０】
以下、販売情報登録処理システム、販売情報登録処理端末、及び販売情報登録プログラムの一実施形態について、図面を用いて詳細に説明する。
【００１１】
本実施形態の販売情報登録処理システムは、メニューに固有に割り当てられる商品コードごとに単価を格納するメニューマスタと、薬剤に固有に割り当てられる薬剤名称ごとに適応症状、商品コード、前記薬剤を服用する顧客への商品コードが示すメニューのお勧め度を格納する薬事データベースと、を備えるサーバと、顧客が選択した薬剤に対するメニューのお勧め度をサーバから受信し、メニューをお勧め度順に表示する販売情報登録処理端末と、を備える。
【００１２】
図１は、販売情報登録処理システムの構成を示すブロック図である。図１に示すように、登録処理システムは、サーバ１と、販売情報登録処理端末（以下、顧客端末という。）２と、を備える。
【００１３】
サーバ１は、演算装置を含む制御部１０１と、ＲＯＭ、ＲＡＭ、及びハードディスクドライブなどの記憶装置を含む記憶部１０２と、通信を行う通信部１０３と、を備える。
【００１４】
記憶部１０２は、メニューに固有に割り当てられる商品コードごとに単価を格納するメニューマスタ１０２Ａと、薬剤に固有に割り当てられる薬剤名称ごとに適応症状、商品コード、この商品コードのお勧め度を示すポイント、及び顧客に対するアドバイスを格納する薬事データベース（以下、データベースをＤＢという。）１０２Ｂと、顧客に固有に割り当てられる識別子ごとに顧客の注文内容を示す商品コード及び数量を格納する注文ＤＢ１０２Ｃと、を格納する。
【００１５】
記憶部１０２はさらに、サーバ１において実行される販売情報登録プログラムを格納する。
【００１６】
サーバ１は、販売情報登録プログラムを記憶部１０２から読み出して順次実行する。
【００１７】
顧客端末２は、演算装置を含む制御部２０１と、ＲＯＭ、ＲＡＭ、及びハードディスクドライブなどの記憶装置を含む記憶部２０２と、タッチパネルなどの入出力装置を含む入出力部２０４と、通信を行う通信部２０３と、を備える。
【００１８】
記憶部２０２はさらに、顧客端末２において実行される販売情報登録プログラムを格納する。
【００１９】
顧客端末２は、販売情報登録プログラムを記憶部２０２から読み出して順次実行する。
【００２０】
顧客端末２は、通信部２０３及び通信部１０３を介してサーバ１と通信する。
【００２１】
図２は、メニューマスタ１０２Ａのデータ構成を示す図である。図２に示すように、メニューマスタ１０２Ａは、商品であるメニューに固有に割り当てられる商品コードと、商品の名称を示す商品名と、商品の価格を示す単価と、を格納する。
【００２２】
各データの例は、商品コードが「１００１２３」、商品名が「唐揚げ定食」、単価が「９８０」である。
【００２３】
図３は、薬事ＤＢ１０２Ｂのデータ構成を示す図である。図３に示すように、薬事ＤＢ１０２Ｂは、薬剤に固有に割り当てられる薬剤名称と、この薬剤の製造者を示す製造者と、この薬剤が適応する症状を示す適応症状と、商品コードと、この薬剤を服用する顧客に対するこの商品コードが示す商品のお勧め度を示すポイントと、この薬剤を服用する顧客がこの商品コードが示す商品を摂取する際のアドバイスを示すアドバイスと、を格納する。
【００２４】
各データの例は、薬剤名称が「○△トロン」、製造者が「○□製薬」、適用症状が「高脂血症」、商品コードが「１００２５３」、ポイントが「＋５」、アドバイスが「脂肪の吸収を抑えます。」である。
【００２５】
薬事ＤＢ１０２Ｂはさらに、薬剤名称の読み仮名を示す音を格納していてもよい。
【００２６】
薬事ＤＢ１０２Ｂは、サーバ１に接続する製薬会社のサーバから適宜更新されるように構成することができる。すなわち、この製薬会社のサーバは薬事ＤＢ１０２Ｂの更新プログラムを備え、製薬会社のサーバに接続する端末から薬事ＤＢ１０２Ｂの内容を適宜更新改廃することができる。
【００２７】
図４は、注文ＤＢ１０２Ｃのデータ構成を示す図である。図４に示すように、注文ＤＢ１０２Ｃは、顧客に固有に割り当てられる識別子であるテーブル番号と、顧客が注文した商品を示す商品コードと、この商品コードに対応する商品名と、この商品コードに対応する単価と、注文数量を示す数量と、を格納する。
【００２８】
各データの例は、テーブル番号が「１４」、商品コードが「１００１２３」、商品名が「唐揚げ定食」、単価が「９８０」、数量が「１」である。
【００２９】
図５は、顧客端末２が表示する薬剤名称入力画面５０１の例を示す図である。図５に示すように、薬剤名称入力画面５０１は、薬剤名によって検索する場合に顧客が押下する「薬剤名で検索」ボタン５０２と、病名によって検索する場合に顧客が押下する「病名で検索」ボタン５０３と、検索対象の最初の１音の読み方を指定するための読み方プルダウンメニュー５０４と、検索結果を表示する検索結果表示欄５０５と、選択された薬剤を表示する選択結果表示欄５０６と、「服用薬・既往症なし」ボタン５０７と、薬剤の選択の終了を指示する確定ボタン５０８と、を含む。
【００３０】
顧客はまず「薬剤名で検索」ボタン５０２又は「病名で検索」ボタン５０３を押下する。次いで、顧客は読み方プルダウンメニュー５０４によって薬剤又は病名の最初の１音を指定する。
【００３１】
顧客端末２は、サーバ１に該当する薬剤を問い合わせ、サーバからの回答のうち薬剤名称を検索結果表示欄５０５に表示する。
【００３２】
顧客は検索結果表示欄５０５から自分が服用している薬剤を選択する。
【００３３】
顧客端末２は、確定ボタン５０８が押下された場合、選択が完了したと判定する。
【００３４】
図６は、顧客端末２が表示するメニュー選択画面６０１の例を示す図である。図６に示すように、メニュー選択画面６０１は、メニューをポイントによってソートしてお勧め度の高い順に表示する。
【００３５】
顧客端末２は、メニュー選択画面６０１に商品名ごとに、単価及びお勧め度を示すポイントを表示する商品名称欄６０１Ａと、及びアドバイスを表示するアドバイス表示欄６０１Ｂと、を表示する。
【００３６】
顧客端末２は、商品名称欄６０１Ａが押下された場合、対応する商品が注文されたと判定する。
【００３７】
図７は、販売情報登録処理システムにおけるサーバ１と顧客端末２の動作を示すフローチャートである。
【００３８】
図７に示すように、ステップ７０１において、顧客端末２は薬剤名称入力画面５０１を入出力部２０４に表示する。
【００３９】
ステップ７０２において、顧客端末２は既往症又は服用薬があるかを判定する。顧客端末２は、「服用薬・既往症なし」ボタン５０７が押下されたと判定した場合、既往症又は服用薬がないと判定してステップ７０５に進み、「薬剤名で検索」ボタン５０２又は「病名で検索」ボタン５０３が押下された場合、既往症又は服用薬があると判定してステップ７０３に進む。
【００４０】
ステップ７０３において、顧客端末２は薬剤名又は既往症名の先頭の読み方を入力する。
【００４１】
ステップ７０４において、顧客端末２は先頭の読み方を問い合わせとしてサーバ１に送信する。
【００４２】
ステップ７０５において、顧客端末２は通常メニューを入出力部２０４に表示してステップ７１２に進む。
【００４３】
ステップ７０６において、サーバ１は受信した先頭１文字の読み方に基づいて薬事ＤＢ１０２Ｂを検索し、該当する薬剤名称、製造者、適応症状、商品コード、ポイント、及びアドバイスを読み出し、回答として顧客端末２に送信する。
【００４４】
ステップ７０７において、顧客端末２は入力が完了したかを判定する。顧客端末２は、確定ボタン５０８が押下された場合、入力が確定したと判定してステップ７０８に進み、確定ボタン５０８が押下されていないと判定した場合ステップ７０３に戻る。
【００４５】
ステップ７０８において、顧客端末２は、回答として受信した商品コードをメニュー送信要求としてサーバ１に送信する。
【００４６】
ステップ７０９において、サーバ１は、受信した商品コードに基づいてメニューマスタ１０２Ａを検索し、対応する商品名及び単価を読み出し、メニューとして顧客端末２に送信する。
【００４７】
ステップ７１０において、顧客端末２は商品コードをポイントによってソートし、お勧め度の高い順に並べ替える。
【００４８】
ステップ７１１において、顧客端末２はメニュー選択画面６０１を入出力部２０４に表示する。
【００４９】
ステップ７１２において、顧客端末２は注文入力処理を行う。具体的には、顧客端末２は顧客によって注文された商品の明細をサーバ１に送信する。
【００５０】
サーバ１は、顧客の注文を注文ＤＢ１０２Ｃに格納する。
【００５１】
以上述べたように、本実施形態の販売情報登録処理システムは、メニューに固有に割り当てられる商品コードごとに単価を格納するメニューマスタ１０２Ａと、薬剤に固有に割り当てられる薬剤名称ごとに適応症状、商品コード、この商品コードのお勧め度を示すポイント、及び顧客に対するアドバイスを格納する薬事ＤＢ１０２Ｂと、を備えるサーバ１と、サーバ１から受信したメニューを顧客によって選択された薬剤又は既往症に対するお勧め度順に、アドバイスと供に表示する顧客端末２と、を備える。
【００５２】
従って、顧客にとって顧客が服用する薬剤及び顧客の既往症とメニューとの関連が容易に把握できるという効果がある。
【００５３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１：サーバ
２：顧客端末
１０２Ａ：メニューマスタ
１０２Ｂ：薬事データベース
１０２Ｃ：注文データベース
５０１：薬剤名称入力画面
６０１：メニュー選択画面
【図１】
2015001780.tif 000003
【図２】
2015001780.tif 000004
【図３】
2015001780.tif 000005
【図４】
2015001780.tif 000006
【図５】
2015001780.tif 000007
【図６】
2015001780.tif 000008
【図７】
2015001780.tif 000009